【事件の表示】
　特願２００９−１４５２３５「インクジェット印刷方法」拒絶査定不服審判事件〔平成２２年　７月　１日出願公開、特開２０１０−１４５９８６〕について、次のとおり審決する。
【結　論】
　本件審判の請求は、成り立たない。
【理　由】
第１　手続の経緯
　平成２１年　６月１８日　　　　　　出願（パリ条約による優先権主張
　　　　　　　　　　　　　　　　　　２００８年１２月２２日、韓国）
　平成２４年　３月１９日付け　　　　拒絶理由通知
　平成２４年　８月　９日（提出日）　意見書及び手続補正書
　平成２５年　２月　７日付け　　　　拒絶理由通知
　平成２５年　５月１４日（提出日）　意見書及び手続補正書（この手続補
　　　　　　　　　　　　　　　　　　正書による補正を、以下「本件補正
　　　　　　　　　　　　　　　　　　前の補正」という。）
　平成２５年　６月２５日付け　　　　拒絶査定
　平成２５年１０月２４日（提出日）　審判請求書及び手続補正書（この手
　　　　　　　　　　　　　　　　　　続補正書による補正を、以下「本件
　　　　　　　　　　　　　　　　　　補正」という。）
　平成２５年１２月　６日付け　　　　審尋
　平成２６年　３月　７日（提出日）　回答書
　
　
第２　補正の却下の決定
　本件補正についての補正の却下の決定
　
［補正の却下の決定の結論］
　本件補正を却下する。
　
［理　由］
１　本件補正の内容
　本件補正は、本件補正前の補正によって補正された特許請求の範囲の請求項１〜４を削除し、請求項４を引用する請求項５を新たな請求項１として下記のとおりに補正しようとする事項を含むものである。
　
　本件補正前の請求項４及び請求項５
　「【請求項４】
　赤色、緑色及び青色カラーフィルター材料を噴射する多数のノズルが具備された第１乃至第３ヘッド部方向へ基板を移動させながら、前記基板のサブ画素の各々に赤色、緑色及び青色カラーフィルターを形成する段階；
前記赤色、緑色及び青色カラーフィルターが形成される基板の１水平区間毎サブ画素の各々の透過度を順次測定する透過度測定段階；
　予め設定されたサブ画素の基準透過度と前記測定されたサブ画素の透過度を比較して不良サブ画素を判別する段階；
　前記不良サブ画素の補正数値をコントローラを用いて計算する段階；
　前記補正数値に従って不良サブ画素に該当するノズルの噴射量セッティング数値をノズル噴射量調節部を用いて補正する段階；及び
　前記噴射量セッティング数値に
従ってノズル
を含み、
　
前記ノズル噴射量を調節する段階は、前記不良サブ画素各々の内部に注入されたカラーフィルター物質の量を調節し、
　前記透過度測定段階は、前記赤色、緑色及び青色のカラーフィルターを同時に撮影
するカメラ
　前記カメラは、前記基板の上に水平方向に配置されたカメラ支持バーに設置され、前記カメラ支持バーの長軸方向へ移動
し、
　
前記透過度測定段階と
または前記第１乃至第３ヘッド部の交換または前記ノズルの交換以後
される
ことを特徴とするインクジェット印刷方法。
　　【請求項５】
　
前記サブ画素の各々の透過度を測定する段階は、
することを特徴とする請求項４記載のインクジェット印刷方法。
　
　本件補正後の請求項１
　「【請求項１】
　赤色、緑色及び青色カラーフィルター材料を噴射する多数のノズルが具備された第１乃至第３ヘッド部方向へ基板を移動させながら、前記基板のサブ画素の各々に赤色、緑色及び青色カラーフィルターを形成する段階；
前記赤色、緑色及び青色カラーフィルターが形成される基板の１水平区間毎サブ画素の各々の透過度を順次測定する透過度測定段階；
　予め設定されたサブ画素の基準透過度と前記測定されたサブ画素の透過度を比較して不良サブ画素を判別する段階；
　前記不良サブ画素の補正数値をコントローラを用いて計算する段階；
　前記補正数値に従って不良サブ画素に該当するノズルの噴射量セッティング数値をノズル噴射量調節部を用いて補正する段階；及び
　前記噴射量セッティング数値に従って
前記不良サブ画素に該当するノズルの各々の内部に注入されたカラーフィルター物質の量を調節して、
み、
　前記透過度測定段階は、前記赤色、緑色及び青色のカラーフィルターを同時に撮影する
複数個のＣＣＤを備える
　前記カメラは、前記基板の上に水平方向に配置されたカメラ支持バーに設置され、前記カメラ支持バーの長軸方向へ移動し、
　
前記
され、
　前記
前に駆動
、調節された噴射量で各々のサブ画素毎に望む透過度のカラーフィルタ基板を形成することで染み不良を事前に防ぐ
　
２　補正の適否について
（１）補正事項と請求人主張の補正の根拠
　ア　本件補正前の「前記噴射量セッティング数値に
従ってノズル
前記不良サブ画素に該当するノズルの各々の内部に注入されたカラーフィルター物質の量を調節して
　請求人は審判請求書において上記補正の根拠を、「下線部の補正事項は、明細書段落００４１の記載に基づくものである。」と主張している。
　
　イ　上記補正事項アによる補正に伴い、本件補正前の「
前記ノズル噴射量を調節する段階は、前記不良サブ画素各々の内部に注入されたカラーフィルター物質の量を調節し
　
　ウ　本件補正前の「 前記透過度測定段階は、前記赤色、緑色及び青色のカラーフィルターを同時に撮影
するカメラ
複数個のＣＣＤを備える
　請求人は審判請求書において上記補正の根拠を、「下線部の補正事項は、明細書段落００２８の記載に基づくものである。」と主張している。 
　
　エ　本件補正前の【請求項５】の「
前記サブ画素の各々の透過度を測定する段階は、
することを特徴とする請求項４記載のインクジェット印刷方法。
前記
され、
　請求人は審判請求書において上記補正の根拠を、「下線部の補正事項は、明細書段落００３３及び補正前の請求項５の記載に基づくものである。」と主張している。 
　
　オ　本件補正前の「
前記透過度測定段階と
または前記第１乃至第３ヘッド部の交換または前記ノズルの交換以後
される
前記
前に駆動され
、調節された噴射量で各々のサブ画素毎に望む透過度のカラーフィルタ基板を形成することで染み不良を事前に防ぐ
　請求人は審判請求書において上記補正の根拠を、「明細書段落００４０及び００４１の記載に基づくものである。」と主張している。
　
（２）新規事項についての判断
　ア　上記（１）の補正事項アによる「前記噴射量セッティング数値に従って
前記不良サブ画素に該当するノズルの各々の内部に注入されたカラーフィルター物質の量を調節して
カラーフィルター物質を噴射するノズルの噴射量を調節する
　
　イ　ここで、本願の願書に最初に添付された明細書，特許請求の範囲又は図面（以下これらをまとめて「出願当初明細書等」といい、明細書については、「出願当初明細書」という。）において、「カラーフィルター物質の量を調節」する事項に関連した記載を確認すると、以下の記載がある。（なお，下線は当審で付した。以下同様。）
　（本ア）「【請求項１】・・（略）・・
　前記カメラから測定された前記サブ画素の各々の透過度と予め設定された基準透過度を比較して
ノズルの噴射量を補正する噴射量調節部
を含むことを特徴とするインクジェット印刷装置。
【請求項２】
　前記
噴射量調節部は
　前記カメラから撮影されたサブ画素の各々の透過度に基づいて不良サブ画素を判別するコントローラ；及び
　前記コントローラが不良サブ画素の透過度に基づいて算出した補正セッティング数値に従って
ノズルの噴射量を調節する
を含むことを特徴とする請求項１記載のインクジェット印刷装置。
・・（略）・・ 
【請求項６】・・（略）・・  
  予め設定されたサブ画素の基準透過度と前記測定されたサブ画素の透過度を比較して不良サブ画素を判別する段階；及び
  前記
不良サブ画素に該当するノズルの噴射量を前記比較結果から派生された補正セッティング数値だけ調節する
を含むことを特徴とするインクジェット印刷装置。」
　（本イ）「【００１４】・・（略）・・カラーフィルター層２２は各々の
サブ画素毎にカラーフィルター物質が噴射されて形成される
　（本ウ）「【００１６】・・（略）・・前記カメラから測定された前記サブ画素の各々の透過度と予め設定された基準透過度を比較して
ノズルの噴射量を補正する
【００１７】・・（略）・・及び前記不良サブ画素に該当する
ノズルの噴射量を電気比較結果から派生された補正セッティング数値だけ調節する
【発明の効果】
【００１８】・・（略）・・前記不良サブ画素に
カラーフィルター物質を噴射するノズルの噴射量を調節する
　（本エ）「【００２１】
 　実施例１
  ・・（略）・・
【００２４】・・（略）・・第１乃至第３ヘッド部１１１，１１３,１１５各々には、基板１００の一定の領域を担当して赤色、緑色及び青色
カラーフィルター物質を各々噴射する多数のノズル（Nozzle,図示せず）
カラーフィルターの物質が各々盛られている供給装置（図示せず）
【００２５】・・（略）・・第１乃至乃至第３ヘッド部１１１，１１３,１１５は、基板１００の水平方向に赤色、緑色及び青色
カラーフィルター物質を噴射して
　（本オ）【００３４】・・（略）・・不良判別されたサブ画素に該当する
ノズルの噴射量を補正する
【００３５】
　インクジェット印刷装置１１０の噴射量調節ユニットは、カメラ１３１から撮影されたサブ画素１０１の各々の透過度測定データを受信するコントローラ１５０と、コントローラ１５０がサブ画素１０１の各々の透過度測定データを基づいて判別した不良サブ画素に対応する
ノズルの噴射量を調節するノズル噴射補正部
セティング数値だけ噴射量が調節される赤色カラーフィルター、緑色カラーフィルター及び青色カラーフィルター物質噴射ノズル１５５,１５７,１５９
【００３６】・・（略）・・
【００３８】
　ノズル噴射補正部１５３は、コントローラ１５０から判別された不良サブ画素（基準透過量データと相違したサブ画素）を補正する。より具体的には、ノズル噴射補正部１５３は、
不良サブ画素に噴射されるカラーフィルター物質の量を調節するための該当ノズルに貯蔵された噴射量セティング数値を補正
【００３９】
　赤色カラーフィルター、緑色カラーフィルター及び青色
カラーフィルター物質噴射ノズル１５５,１５７,１５９は
更新された補正セティング数値に該当する量
噴射する
【００４０】・・（略）・・
【００４１】
  以上では、基板１００上にカラーフィルターを形成するインクジェット印刷装置１１０において、サブ画素１０１の各々の透過度を測定して予め設定された基準透過度と相違した透過度を有する不良サブ画素を判別し不良サブ画素の
カラーフィルター物質を噴射するノズルの噴射量を調節する
【００４２】・・（略）・・
【００４７】
　不良サブ画素に
該当ノズルのセッティング数値を算出してカラーフィルター物質の噴射量を補正セティング数値だけ調節して
【００４８】・・（略）・・予め設定された基準透過度と相違した透過度を有するサブ画素に
噴射されるカラーフィルター物質の噴射量を調節する
　
　上記各記載によれば、「カラーフィルター物質を噴射するノズルの噴射量を調整する」ことが記載されていることは明らかである。
　
　また、ノズルの内部構造に関して図面を含め出願当初明細書等には、具体的な説明がなされていない。
　
　ウ　そこで、上記出願当初明細書等における記載を再度参照すると、【００３８】に、「ノズル噴射補正部１５３は、
不良サブ画素に噴射されるカラーフィルター物質の量を調節するための該当ノズルに貯蔵された噴射量セティング数値を補正
　当該記載において、「貯蔵」との文言があるが、「ノズル」自体の内部に「貯蔵」されている物質の量を指しているのか、噴射時にノズルに供給されるために「ノズル」とは別途の場所に貯蔵される物質の量を指しているのか、「貯蔵」先が何処であるのかについては明確ではない。
　そして、「貯蔵」に関する説明は当該記載のみであり、「ノズルに貯蔵された」物質の量そのものを調節することについての説明はなされておらず、ノズルの内部構造に関して、図面を含め出願当初明細書等に具体的な説明がなされていない事は上記したとおりであり、各々のノズル自体の内部に貯蔵するインクの量を可変とするインクジェットプリンタ用のノズル構造が周知のものであるとも言えない。
　また、上記「該当ノズルに貯蔵された噴射量セティング数値を補正する。」との文言からは、「ノズルに」、「噴射量セティング数値」が「貯蔵されているかのような記載にもなっており、数値が貯蔵されているとの技術的意味が不明である。ここで、「噴射量セティング数値」については、【００３５】に「ノズル噴射補正部１５３から
セティング数値だけ噴射量が調節される
更新された補正セティング数値に該当する量のカラーフィルター該当のサブ画素に噴射
　
　してみると、上記【００３８】の記載には「
噴射量セティング数値
ノズルの各々の内部に注入された
量を調節
　そして、出願当初明細書等の他の記載を参酌しても、「
ノズルの各々の内部に注入された
量を調節
　
　エ　したがって、上記補正事項アによる補正は、出願当初明細書等に記載した事項の範囲内においてなされたものではない。
　よって、上記補正事項アに係る補正を含む本件補正は、特許法第１７条の２第３項の規定に違反するので、同法１５９条第１項において読み替えて準用する同法第５３条第１項の規定により却下されるべきものである。
　
３　独立特許要件
（１）ここで、平成２６年　３月　７日に請求人が提出した回答書によれば、
　「明細書段落００１８，００３５，００３８，００３９，００４１，００４７，００４８の記載に基づ」き、
　「前記噴射量セッティング数値に従って
前記不良サブ画素に該当するノズルの各々の内部に注入されたカラーフィルター物質の量を調節して
との発明特定事項を
　「前記噴射量セッティング数値に従って
前記不良サブ画素に該当するノズルから噴射されるカラーフィルター物質の量を調節して
と補正したい旨回答しており、当該記載内容であれば、出願当初明細書等に記載した事項の範囲内のものであることは明らかであるから、本件補正によって補正された請求項１に係る発明において、上記発明特定事項を上記補正案のように読み替えて、一応、本件補正が新規事項の追加ではないものと仮定して、独立特許要件（特許法第１７条の２第６項において準用する同法第１２６条第７項の規定に適合するものであるのか否か）について以下、検討する。
　
　なお、上記読み替えを行った請求項１に係る発明（以下「本願補正発明（読替）」という。）は以下のとおり。
　「【請求項１】
　赤色、緑色及び青色カラーフィルター材料を噴射する多数のノズルが具備された第１乃至第３ヘッド部方向へ基板を移動させながら、前記基板のサブ画素の各々に赤色、緑色及び青色カラーフィルターを形成する段階；
前記赤色、緑色及び青色カラーフィルターが形成される基板の１水平区間毎サブ画素の各々の透過度を順次測定する透過度測定段階；
　予め設定されたサブ画素の基準透過度と前記測定されたサブ画素の透過度を比較して不良サブ画素を判別する段階；
　前記不良サブ画素の補正数値をコントローラを用いて計算する段階；
　前記補正数値に従って不良サブ画素に該当するノズルの噴射量セッティング数値をノズル噴射量調節部を用いて補正する段階；及び
　前記噴射量セッティング数値に従って前記不良サブ画素に該当するノズル
から噴射される
　前記カメラは、前記基板の上に水平方向に配置されたカメラ支持バーに設置され、前記カメラ支持バーの長軸方向へ移動し、
　前記基板上に配置されたカメラと前記基板下に配置された光発光ユニットが水平方向へ移動しながら測定され、　　
　前記噴射量を調節する段階は、前記カラーフィルターの形成前に駆動され、調節された噴射量で各々のサブ画素毎に望む透過度のカラーフィルタ基板を形成することで染み不良を事前に防ぐことを特徴とするインクジェット印刷方法。」（なお、上記の下線は読み替え箇所を示す。）
　
（２）特許法第３６条第６項第２号に関して
　ア　拒絶査定における記載不備の拒絶の理由と請求人の主張の概要
　（ア）拒絶査定の拒絶の理由
　「・理由２（特許法第３６条第６項第２号）
　出願人は，平成２５年５月１４日付け意見書において，上記拒絶理由通知書（審決注：平成２５年２月７日付けのもの）に記載した理由２．のｄ）について何ら意見を述べていないと認められる。
　また，平成２５年５月１４日付け手続補正書による補正によっても，ノズルの噴射量を調節した後にどうするのかについては依然として明確でなく，最終的にどのようにサブ画素毎に望む透過度のカラーフィルターが形成できるのか理解することができない。
（なお，平成２５年５月１４日付け手続補正書による補正によって，カメラと噴射量調節部が，カラーフィルターの形成前に駆動されることが追加されたが，カラーフィルターの形成前には，そもそもサブ画素自体が存在しないから，カメラで何を撮影するのか不明であり，このような場合においても，どのようにサブ画素毎に望む透過度のカラーフィルターが形成できるのか理解することができない。）」
　（イ）審判請求書において請求人は、以下の主張をしている。
　「【記載不備の指摘事項に対する対処】 
　出願人は、審査官殿のご指摘に基づいて該当箇所を次のように補正した。　「前記噴射量を調節する段階は、前記カラーフィルターの形成
前に
、調節された噴射量で各々のサブ画素毎に望む透過度のカラーフィルター基板を形成することで染み不良を事前に防ぐ
　明細書段落００４０を参照すると、本願発明の工程は、カラーフィルターの形成工程が行われる以前に行うことが明確に記載されており、また、明細書段落００４１を参照すると、染み不良を事前に防ぐ工程であることが明確に記載されている。 
　したがって、本願発明は、「カラーフィルターの形成
前
　このため、本願発明の特許請求の範囲の記載不備は解消される。」 
　（ウ）ここで、請求人主張の出願当初明細書【００４０】、【００４１】の記載は、以下のとおりである。
「【００４０】
　このように、インクジェット印刷装置１１０の噴射量調節ユニットは、
始めに、基板１００のカラーフィルター形成工程が進行される以前
に駆動される
【００４１】
　以上では、基板１００上にカラーフィルターを形成するインクジェット印刷装置１１０において、サブ画素１０１の各々の透過度を測定して予め設定された基準透過度と相違した透過度を有する不良サブ画素を判別し不良サブ画素のカラーフィルター物質を噴射するノズルの噴射量を調節することで、カラーフィルター基板の信頼度を向上させることができる。即ち、本発明のインクジェット印刷装置１１０は、各々のサブ画素毎に望む透過度のカラーフィルターを形成することで、
染み不良を事前に防ぐ
　
　イ　判断
　（ア）本件補正後の請求項１に記載の
　「赤色、緑色及び青色カラーフィルター材料を噴射する多数のノズルが具備された第１乃至第３ヘッド部方向へ基板を移動させながら、前記基板のサブ画素の各々に赤色、緑色及び青色カラーフィルターを形成する段階；
前記赤色、緑色及び青色カラーフィルターが形成される基板の１水平区間毎サブ画素の各々の透過度を順次測定する透過度測定段階；
　予め設定されたサブ画素の基準透過度と前記測定されたサブ画素の透過度を比較して不良サブ画素を判別する段階；
　・・（略）・・前記噴射量セッティング数値に従って前記不良サブ画素に該当するノズルの各々の内部に注入されたカラーフィルター物質の量を調節して、ノズルを用いて噴射量を調節する段階を含
み、
との構成からは、「噴射量を調節する段階」を実施するためには、「基板の１水平区間毎サブ画素の各々の透過度を順次測定する透過度測定段階」が必要であり、透過度の測定を行うためには、「基板のサブ画素の各々に赤色、緑色及び青色カラーフィルターを形成する段階」を経ていることが必要であることは明らかである。
　（イ）一方、本件補正後の請求項１の「噴射量を調節する段階は、前記カラーフィルターの形成
前に駆動
、調節された噴射量で各々のサブ画素毎に望む透過度のカラーフィルタ基板を形成する
前に
　したがって、本件補正後の請求項１の記載においては、「噴射量を調節する段階」における「カラーフィルターの形成」に関して矛盾した構成が含まれており、特許法第３６条第６項第２号に規定する要件を満たしていない。
　（ウ）なお、この点について請求人は、審判請求書において、上記ア（イ）の主張をしているが、【００４０】には、「カラーフィルター
形成工程が進行される以前
　さらに本願の出願当初明細書の【００４３】には、「図５に図示されたように、本発明の一実施例によるインクジェット印刷方法は、まず始めに、
基板にカラーフィルターを形成する前か
駆動されるようにする
駆動する
駆動する
　したがって、請求人の主張する出願当初明細書の記載を参酌しても、「カラーフィルター形成前」が、「基板（サンプル）」ではない「カラーフィルター基板を形成する」前であって、且つ基板（サンプル）にカラーフィルターを形成する時点であるとする根拠は見出せず、本件補正後の請求項１の記載は、依然として特許法第３６条第６項第２号に規定する要件を満たしていない。
　
　
（３）特許法第２９条第２項に関して
　ア　上記（２）イのように、「カラーフィルター形成前」との記載が不明瞭な記載ではあるが、上記（２）ア（イ）のように、「・・（略）・・サンプルから噴射量を調節して、以後、基板を形成することは、引用文献６ないし８を参照しても当然な構成である。」と請求人は主張していることから、「カラーフィルター形成前」が、出願当初明細書【００４０】の「カラーフィルター形成工程が進行される以前」のことであって、なおかつ「噴射量を調節する段階」の為のカラーフィルターを形成し、調整を行ってから「カラーフィルター形成工程が進行される」ものであると仮定して、以下特許法第２９条第２項についての検討を行う。
　なお、上記仮定に際し、サンプル用の基板で調整を行って、調整後の噴射量で別途の製品用基板にカラーフィルターを形成することまでは、出願当初明細書の何れの記載からも限定できるものではない。
　また、上記本件補正後の請求項１に係る発明の「前記噴射量セッティング数値に従って前記不良サブ画素に該当するノズルの各々の内部に注入されたカラーフィルター物質の量を調節して、ノズルを用いて噴射量を調節する段階」との発明特定事項については、上記（１）に記載したように、
　「前記噴射量セッティング数値に従って前記不良サブ画素に該当するノズルから噴射されるカラーフィルター物質の量を調節して、ノズルを用いて噴射量を調節する段階」
と読み替えて、上記（１）で特定した「本願補正発明（読替）」について、以下検討する。
　
　イ　刊行物及びその摘記事項
　（ア）原査定の拒絶の理由に引用文献１として引用された、本願の優先権主張日前に日本国内において頒布された刊行物である特開２０００−２６６９２０号公報（以下「刊行物１」という。）には、「カラーフィルタの着色装置およびカラーフィルタ及び表示装置及び表示装置を備えた装置」（発明の名称）に関して、図１〜図２８と共に次の事項が記載されている。
（刊１ア）「【０００６】
【課題を解決するための手段】上述した課題を解決し、目的を達成するために、本発明に係わるカラーフィルタの着色装置は、
インクジェットヘッドによりカラーフィルタ基板に向けてインクを吐出して該カラーフィルタ基板を着色するためのカラーフィルタの着色装置であって、インクジェットヘッドによりカラーフィルタ基板を着色するための１つ以上の描画装置部と、前記カラーフィルタ基板の着色部の色濃度を光学的に測定するための１つ以上の測定装置部と、前記着色部の色濃度の測定結果に基づいて、前記描画装置部の着色動作条件を決定する着色動作条件決定部と、前記描画装置部と、前記測定装置部と、前記着色動作条件決定部の動作を制御するための制御手段とを具備
【０００７】また、この発明に係わるカラーフィルタの着色装置において、前記描画装置部は、インクを吐出するためのインクジェットヘッドと、
前記カラーフィルタ基板と前記インクジェットヘッドとを相対的に移動させるための移動手段
・・（略）・・
【００１９】また、この発明に係わるカラーフィルタの着色装置において、
前記測定装置部の測定結果に基づいて、カラーフィルタの各画素毎に付与されているインクの過不足量を算出する演算手段と、該演算手段により算出された各画素毎のインクの過不足量と、カラーフィルタの着色に用いられた着色動作条件とから、着色に使用するインクジェットヘッドの各ノズルの吐出条件を決定する吐出条件決定手段とを更に具備し、前記着色動作条件決定部は、前記吐出条件決定手段により決定された吐出条件に基づいて、着色動作条件を決定する
　
（刊１イ）「【００６０】以下、本発明の第１の実施形態について説明する。
【００６１】・・（略）・・
【００６９】次に、各装置部の機能について述べる。
【００７０】＜描画（着色）装置部＞描画装置部は、インクジェットヘッドからインクを吐出してカラーフィルタ基板を所望のパターンに着色する機能を持つ。
【００７１】図９に描画装置部の模式図を示す。
描画装置部は基板ステージ６４と、基板をのせるチャック６５と、ＲＧＢのインクジェットヘッド及びそれを固定するインクジェットヘッドユニット６７とを備え
基板ステージ６４及びインクジェットヘッドユニット６７は
ステージコントローラにより位置制御可能
インクジェットヘッドによるインクの吐出は
ヘッドコントローラにより制御
【００７２】本実施形態では
画素を短いラインパターンの集まりと考えて着色
画素に打ち込むインク量を、描画装置部のインク打ち込み密度（＝インク打ち込み間隔）で制御する
【００７３】描画時にはステージコントローラ、及びヘッドコントローラに所望のカラーフィルタ描画用の描画パラメータを設定することで、カラーフィルタを着色することができる。
【００７４】＜測定装置部＞
測定装置部は、インクジェットヘッドからのインク吐出により着色されたカラーフィルタの画素の一部またはすべてを光学測定する機能を持
【００７５】図１１に測定装置部の模式図を示す。測定装置部は、
基板ステージ７４と、それをコントロールするステージコントローラ７７と、ＣＣＤカメラ７２と、画像処理装置７５と、光源７１と、照明系７３と、制御用コンピュータ７６とを備えて構成され
照明系から光をカラーフィルタ基板の画素に照射し、その透過光をＣＣＤカメラ７２で撮影
基板ステージ７４を動かし、ＣＣＤカメラ７２からのデータを画像処理装置７５で処理することにより、所望のカラーフィルタ画素の透過光学濃度をデジタル値として得、測定結果をファイルとして保存
【００７６】本実施形態では、
測定データはＲＧＢ各画素の透過率とし
１画素の処理範囲は、ＲＧＢについてそれぞれの色の開口部すべての範囲であ
あるノズルで着色された画素について、その画素の光学測定値（ここでは透過率）を得ることを目的とし
同時に複数の画素を測定しても構わ
【００７７】本実施形態での透過率とは、ある波長分布を持った光源を使用し、ある波長の感度分布を持ったＣＣＤカメラで測定した透過率であるため、本実施形態の測定装置部の構成の中でのみ再現性のある透過率である。
【００７８】カラーフィルタの測定時には、ステージコントローラ、画像処理装置７５が必要とする測定パラメータを設定することで、行うことができる。
【００７９】＜着色条件決定部＞
着色条件決定部は、着色条件決定手段を持つ装置部
カラーフィルタ画素に対してどの画素をどのノズルで着色するか、各画素についてどのようなインク打ち込み密度で着色するかを決定する
【００８０】また着色条件決定部は、
測定装置部の測定値に対して、最適インク打ち込み密度の変更量のテーブルを持
【００８１】
カラーフィルタの着色時には、測定データ、測定パラメータ及び測定基板の描画パラメータデータをうけとることで、新描画パラメータを新しく生成
・・（略）・・
【００８８】・・（略）・・初期描画パラメータには、
描画装置部のインクジェットヘッドによりカラーフィルタの着色を行うことができる
データ
カラーフィルタの各画素を着色するために使用するノズルの情報、及びインク打ち込み密度に関する情報
　
（刊１ウ）「【０１１５】＜
着色条件決定部の動作
【０１１６】・・（略）・・
【０１１９】測定データは光学的な濃度に相関するため、
各色ごとに各画素の光学濃度が標準値からどれだけずれているかで色むらを判断
ずれ量が多い場合色むら不良品と判断
標準値として絶対基準カラーフィルタ基板を測定装置部で測定した値を用い
【０１２０】・・（略）・・。
【０１２３】この後新描画パラメータを作製する（ステップＳ２２３）。新描画パラメータ作製命令に記述されている
測定データ、描画パラメータから、各画素毎に、着色に使用したインクジェットヘッドノズルとインク打ち込み密度、その画素の透過率
透過率が一定となるようなインク打ち込み条件に設定
初期描画パラメータの場合はインク打ち込み密度は予め設定され
　
（刊１エ）「【０１２７】＜着色システム制御部の全体動作＞次に着色システム全体の制御について説明する。
【０１２８】本実施形態では着色システムの全体制御は、着色システム制御部で行う。
【０１２９】着色システム制御部による着色システムの全体制御の方法を示す。
【０１３０】・・（略）・・
【０１３８】描画パラメータ変更命令で着色システム制御部が指定する描画パラメータは以下の３種類に分けられる。
（ａ）適切描画パラメータ（良品が作製できると予想できる描画パラメータ、着色条件決定部から取得）
（ｂ）初期描画パラメータ
（ｃ）着色停止命令用描画パラメータ
適切描画パラメータは、測定データに基づいた描画パラメータである。
【０１３９】初期描画パラメータは、
測定データに基づいていない描画パラメータ
【０１４０】
初期描画パラメータは、ヘッド交換やカラーフィルタ種の変更によりカラーフィルタ各画素の着色に使用するインクジェットヘッドノズルが変わった時に使用
【０１４１】着色停止命令用描画パラメータは、描画装置部への着色動作停止命令に相当した描画パラメータである。描画装置部は、描画パラメータを（ｃ）に変更する旨の描画パラメータ変更命令を受信すると、着色動作を停止するような構成になっている。
【０１４２】本実施形態では、一つの描画装置部を対象にして、新たに初期描画パラメータを提供する場合をスタートとして全体の流れを説明する。
【０１４３】着色システム制御部は、
まず最初に、描画パラメータを（ｂ）に変更
【０１４４】次に、
（ｂ）のパラメータによる描画装置部の着色動作が一回終わると
【０１４５】続いて着色システム制御部は
、描画パラメータを（ｃ）に変更する旨の描画パラメータ変更命令（着色動作停止命令）を出す
【０１４６】
（ｂ）による着色が終了したカラーフィルタ基板は
測定装置部に送られ
測定装置部の測定と、これに続く着色条件決定部の新描画パラメータ決定により、着色システム制御部は新描画パラメータ（ａ１）を得る
【０１４７】ここで（ａ１）と表現した理由は、適切描画パラメータ（ａ）の内容は更新可能なため説明上その内容の変更を表現するためである。
描画パラメータを（ａ１）に変更する旨の描画パラメータ変更命令により（ａ１）による着色動作が始まる
【０１４８】次に着色システム制御部が（ａ１）の条件で作製したＸ枚目（１０枚目）のカラーフィルタ基板の測定データに基づく新描画パラメータ（ａ２）を受け取ると（ステップＳ３０５）、着色システム制御部は、描画パラメータを（ａ２）に変更する旨の描画パラメータ変更命令を出す（ステップＳ３０６）。・・（略）・・」
　
（刊１オ）図１１として測定装置の模式図が記載されており、当該図面から、ＣＣＤ７２と照明系７３とが、基板ステージ７４上の板状物を挟んで対向していることが看取できる。
　また、図１２として測定装置の測定範囲を示す図が示されており、四角領域の斜線内にＲ，Ｇ，Ｂの各白抜き領域が有ることが看取できる。
　
　上記摘示事項（刊１ア）〜（刊１エ）を整理すると、刊行物１には次の発明が開示されている。
  「インクジェットヘッドによりカラーフィルタ基板を着色するための１つ以上の描画装置部と、前記カラーフィルタ基板の着色部の色濃度を光学的に測定するための１つ以上の測定装置部と、前記着色部の色濃度の測定結果に基づいて、前記描画装置部の着色動作条件を決定する着色動作条件決定部と、前記描画装置部と、前記測定装置部と、前記着色動作条件決定部の動作を制御するための制御手段とを具備し、前記測定装置部の測定結果に基づいて、カラーフィルタの各画素毎に付与されているインクの過不足量を算出する演算手段と、該演算手段により算出された各画素毎のインクの過不足量と、カラーフィルタの着色に用いられた着色動作条件とから、着色に使用するインクジェットヘッドの各ノズルの吐出条件を決定する吐出条件決定手段とを更に具備し、前記着色動作条件決定部は、前記吐出条件決定手段により決定された吐出条件に基づいて、着色動作条件を決定するインクジェットヘッドによりカラーフィルタ基板に向けてインクを吐出して、各画素を着色することによりカラーフィルタを製造する装置の動作方法において、
　　描画装置部は、基板ステージ６４と、基板をのせるチャック６５と、ＲＧＢのインクジェットヘッド及びそれを固定するインクジェットヘッドユニット６７と、前記カラーフィルタ基板と前記インクジェットヘッドとを相対的に移動させるための移動手段とを備え、基板ステージ６４及びインクジェットヘッドユニット６７はステージコントローラにより位置制御可能であり、インクジェットヘッドによるインクの吐出はヘッドコントローラにより制御し、画素を短いラインパターンの集まりと考えて着色する際に、画素に打ち込むインク量を、描画装置部のインク打ち込み密度（＝インク打ち込み間隔）で制御し、
　　測定装置部は、インクジェットヘッドからのインク吐出により着色されたカラーフィルタの画素の一部またはすべてを光学測定する機能を持ち、基板ステージ７４と、それをコントロールするステージコントローラ７７と、ＣＣＤカメラ７２と、画像処理装置７５と、光源７１と、照明系７３と、制御用コンピュータ７６とを備えて構成され、照明系から光をカラーフィルタ基板の画素に照射し、その透過光をＣＣＤカメラ７２で撮影し、基板ステージ７４を動かし、ＣＣＤカメラ７２からのデータを画像処理装置７５で処理することにより、所望のカラーフィルタ画素の透過光学濃度をデジタル値として得、測定結果をファイルとして保存し、測定データはＲＧＢ各画素の透過率とし、１画素の処理範囲は、ＲＧＢについてそれぞれの色の開口部すべての範囲であり、あるノズルで着色された画素について、その画素の光学測定値（ここでは透過率）を得ることを目的として行われ、同時に複数の画素を測定しても構わず、
　　着色条件決定部は、カラーフィルタ画素に対してどの画素をどのノズルで着色するか、各画素についてどのようなインク打ち込み密度で着色するかを決定する着色条件決定手段を持つ装置部であり、測定装置部の測定値に対して、最適インク打ち込み密度の変更量のテーブルを持ち、カラーフィルタの着色時には、測定データ、測定パラメータ及び測定基板の描画パラメータデータをうけとることで、新描画パラメータを新しく生成するものであって、
　着色条件決定部の動作として、
  標準値として絶対基準カラーフィルタ基板を測定装置部で測定した値を用い、各色ごとに各画素の光学濃度が標準値からどれだけずれているかで色むらを判断し、ずれ量が多い場合色むら不良品と判断し、
　測定データ、描画パラメータから、各画素毎に、着色に使用したインクジェットヘッドノズルとインク打ち込み密度、その画素の透過率から、透過率が一定となるようなインク打ち込み条件に設定し、
　描画パラメータには、描画装置部のインクジェットヘッドによりカラーフィルタの着色を行うことができるデータが含まれ、カラーフィルタの各画素を着色するために使用するノズルの情報、及びインク打ち込み密度に関する情報が含まれており、
　　着色システム制御部の全体動作として、
  　まず最初に、描画パラメータを、ヘッド交換やカラーフィルタ種の変更によりカラーフィルタ各画素の着色に使用するインクジェットヘッドノズルが変わった時に、予め設定され測定データに基づいていない描画パラメータである初期描画パラメータ（ｂ）に変更し、
　初期描画パラメータ（ｂ）による描画装置部の着色動作が一回終わると描画パラメータを着色停止命令用描画パラメータ（ｃ）に変更する旨の描画パラメータ変更命令（着色動作停止命令）を出し、
　初期描画パラメータ（ｂ）による着色が終了したカラーフィルタ基板は、測定装置部に送られ、測定装置部の測定と、これに続く着色条件決定部の新描画パラメータ決定により、着色システム制御部は新描画パラメータである適切描画パラメータ（良品が作製できると予想できる描画パラメータ、着色条件決定部から取得）（ａ１）を得、描画パラメータを適切描画パラメータ（ａ１）に変更する旨の描画パラメータ変更命令により適切描画パラメータ（ａ１）による着色動作が始まる
  カラーフィルタを製造する装置の動作方法」（以下「刊行物発明」という。また、「着色条件決定部」、「着色動作決定部」は、同一のものであるので、以下両者を共に、「着色動作決定部」という。）
　
　ウ　刊行物１に基づく当審の判断
　（ア）対比
　本願補正発明（読替）と刊行物発明とを対比すると、
　　ａ　刊行物発明の「インクジェットヘッドノズル」は、本願補正発明（読替）の「ノズル」に相当し、刊行物発明の「ＲＧＢのインクジェットヘッド」は、「ＲＧＢ」のインク用の「インクジェットヘッドノズル」であることは明らかであるから、刊行物発明の「ＲＧＢのインクジェットヘッド」と、本願補正発明（読替）の「赤色、緑色及び青色カラーフィルター材料を噴射する多数のノズルが具備された第１乃至第３ヘッド部」とは、「赤色、緑色及び青色カラーフィルター材料を噴射する」「ノズルが具備された」「ヘッド部」である点で一致する。
　　ｂ　刊行物発明は、「カラーフィルタ基板と前記インクジェットヘッドとを相対的に移動させるための移動手段」を有し、「ＲＧＢについてそれぞれの色の開口部」を「ノズルで着色」することで、ＲＧＢカラーフィルターを製造するのであるから、刊行物発明のＲＧＢカラーフィルターを製造することと、本願補正発明（読替）の「ヘッド部方向へ基板を移動させながら、前記基板のサブ画素の各々に赤色、緑色及び青色カラーフィルターを形成する段階」とは、「ヘッド部と基板とを相対的に移動させながら、前記基板のサブ画素の各々に赤色、緑色及び青色カラーフィルターを形成する段階」点で一致する。
　　ｃ　刊行物発明は「初期描画パラメータ（ｂ）による描画装置部の着色動作が一回終わると」、「初期描画パラメータ（ｂ）による着色が終了したカラーフィルタ基板は、測定装置部に送られ、測定装置部の測定」がなされ、「着色動作条件決定部」により「カラーフィルタ画素に対してどの画素をどのノズルで着色するか、各画素についてどのようなインク打ち込み密度で着色するかを決定」されるものであるから、着色動作１回分についての測定が行われることは明らかである。　
　そして、測定は、「照明系から光をカラーフィルタ基板の画素に照射し、その透過光をＣＣＤカメラ７２で撮影し、基板ステージ７４を動かし、ＣＣＤカメラ７２からのデータを画像処理装置７５で処理することにより、所望のカラーフィルタ画素の透過光学濃度をデジタル値として得」、「１画素の処理範囲は、ＲＧＢについてそれぞれの色の開口部すべての範囲であり、あるノズルで着色された画素について、その画素の光学測定値（ここでは透過率）を得ることを目的として行われ、同時に複数の画素を測定しても構わ」ないものであり、「各色ごとに各画素の光学濃度が標準値からどれだけずれているかで色むらを判断」している。
　ここで、「同時に複数の画素を測定しても構わ」ないとしていることから、複数の画素を測定する際に、１画素毎の測定を行うことが前提となっていることは明らかであり、この場合隣の画素へ測定のために移動するものと理解するのが相当である。また、引用発明は、「各色ごとに」「色むらを判断」しているのであるから、ＲＧＢにより形成される画素のＲ、Ｇ、Ｂそれぞれの開口部即ち本願補正発明（読替）の「サブ画素」のそれぞれについて、それぞれの透過度を測定しているものである。
　してみると、引用発明の測定装置部による測定は、本願補正発明（読替）の「赤色、緑色及び青色カラーフィルターが形成される基板の１水平区間毎サブ画素の各々の透過度を測定する透過度測定段階」の点で一致する。
　　ｄ　刊行物発明の「着色動作条件決定部」の「標準値として絶対基準カラーフィルタ基板を測定装置部で測定した値を用い、各色ごとに各画素の光学濃度が標準値からどれだけずれているかで色むらを判断し、ずれ量が多い場合色むら不良品と判断」することは、本願補正発明（読替）の「予め設定されたサブ画素の基準透過度と前記測定されたサブ画素の透過度を比較して不良サブ画素を判別する段階」に相当する。
　　ｅ　刊行物発明の「着色動作条件決定部」、「『着色システム制御部』及び『ヘッドコントローラ』」は、それぞれ本願補正発明（読替）の「コントローラ」、「ノズル噴射量調節部」に相当し、また、刊行物発明の「描画パラメータ」は、「描画装置部のインクジェットヘッドによりカラーフィルタの着色を行うことができるデータが含まれ、カラーフィルタの各画素を着色するために使用するノズルの情報、及びインク打ち込み密度に関する情報」を含んでいるから、
　刊行物発明の「着色動作条件決定部」は、「前記測定装置部の測定結果に基づいて、カラーフィルタの各画素毎に付与されているインクの過不足量を算出する演算手段と、該演算手段により算出された各画素毎のインクの過不足量と、カラーフィルタの着色に用いられた着色動作条件とから、着色に使用するインクジェットヘッドの各ノズルの吐出条件を決定する吐出条件決定手段」「により決定された吐出条件に基づいて、着色動作条件を決定」し、その際、「測定装置部の測定値に対して、最適インク打ち込み密度の変更量のテーブルを持ち、カラーフィルタの着色時には、測定データ、測定パラメータ及び測定基板の描画パラメータデータをうけとることで、新描画パラメータを新しく生成するものであって」、「カラーフィルタ画素に対してどの画素をどのノズルで着色するか、各画素についてどのようなインク打ち込み密度で着色するかを決定」すること、及び、「着色動作条件決定部の新描画パラメータ決定により、着色システム制御部は新描画パラメータである適切描画パラメータ（良品が作製できると予想できる描画パラメータ、着色動作条件決定部から取得）（ａ１）を得、描画パラメータを適切描画パラメータ（ａ１）に変更する旨の描画パラメータ変更命令により適切描画パラメータ（ａ１）による着色動作が始ま」り、その際に、「描画装置部」の「ヘッドコントローラにより」「インクジェットヘッドによるインクの吐出」「を制御し」、「画素に打ち込むインク量を、描画装置部のインク打ち込み密度（＝インク打ち込み間隔）で制御」することと、
　本願補正発明（読替）の「前記不良サブ画素の補正数値をコントローラを用いて計算する段階：　前記補正数値に従って不良サブ画素に該当するノズルの噴射量セッティング数値をノズル噴射量調節部を用いて補正する段階：及び前記噴射量セッティング数値に従って前記不良サブ画素に該当するノズルから噴射される（読み替え前「の各々の内部に注入された」）カラーフィルター物質の量を調節して、ノズルを用いて噴射量を調節する段階」とは、
　「不良サブ画素の補正パラメータをコントローラを用いて設定する段階：補正パラメータに従って不良サブ画素に該当するノズルの噴射量をノズル噴射量調節部を用いて補正する段階：及び噴射量セッティング数値に従って前記不良サブ画素に該当するノズルから噴射されるカラーフィルター物質の量を調節して、ノズルを用いて噴射量を調節する段階」の点で一致する。
　　ｆ　引用発明のＣＣＤカメラ７２は、カメラとして、ＣＣＤを備えていることは明らかであるから、引用発明の「照明系から光をカラーフィルタ基板の画素に照射し、その透過光をＣＣＤカメラ７２で撮影し、基板ステージ７４を動かし、ＣＣＤカメラ７２からのデータを画像処理装置７５で処理することにより、所望のカラーフィルタ画素の透過光学濃度をデジタル値として得、測定結果をファイルとして保存し、測定データはＲＧＢ各画素の透過率とし、１画素の処理範囲は、ＲＧＢについてそれぞれの色の開口部すべての範囲であり、あるノズルで着色された画素について、その画素の光学測定値（ここでは透過率）を得る」ことと、
　本願補正発明（読替）の「透過度測定段階は、前記赤色、緑色及び青色のカラーフィルターを同時に撮影する複数個のＣＣＤを備えるカメラにより測定され、前記カメラは、前記基板の上に水平方向に配置されたカメラ支持バーに設置され、前記カメラ支持バーの長軸方向へ移動し、前記基板上に配置されたカメラと前記基板下に配置された光発光ユニットが水平方向へ移動しながら測定され、」とは、
　「透過度測定段階は、前記赤色、緑色及び青色のカラーフィルターを同時に撮影するＣＣＤを備えるカメラにより測定され、
　前記カメラは、前記基板の上に設置され、
　前記基板上に配置されたカメラと前記基板下に配置された光発光ユニットと基板とを相対的に移動しながら測定され」る点で一致している。
　　ｇ　そうすると、両者は、
　「赤色、緑色及び青色カラーフィルター材料を噴射するノズルが具備されたヘッド部と基板とを相対的に移動させながら、前記基板のサブ画素の各々に赤色、緑色及び青色カラーフィルターを形成する段階；
　前記赤色、緑色及び青色カラーフィルターが形成される基板の１水平区間毎サブ画素の各々の透過度を順次測定する透過度測定段階；
　予め設定されたサブ画素の基準透過度と前記測定されたサブ画素の透過度を比較して不良サブ画素を判別する段階；
　前記不良サブ画素の補正パラメータをコントローラを用いて設定する段階：
　前記補正パラメータに従って不良サブ画素に該当するノズルの噴射量をノズル噴射量調節部を用いて補正する段階：及び
　前記噴射量セッティング数値に従って前記不良サブ画素に該当するノズルから噴射されるカラーフィルター物質の量を調節して、ノズルを用いて噴射量を調節する段階
 を含み、   　
　前記透過度測定段階は、前記赤色、緑色及び青色のカラーフィルターを同時に撮影するＣＣＤを備えるカメラにより測定され、
　前記カメラは、前記基板の上に設置され、
　前記基板上に配置されたカメラと前記基板下に配置された光発光ユニットと基板とを相対的に移動しながら測定される、
インクジェット印刷方法。」
の点で一致するものの、次の点で相違する。
　
　＊相違点１：ヘッド部が、本願補正発明（読替）では、「多数のノズルが具備された第１乃至第３ヘッド部」であるのに対して、刊行物発明では、ヘッドの構造が不明である点。
　
　＊相違点２：カラーフィルター形成時の基板の移動について、本願補正発明（読替）では、「ヘッド部方向へ基板を移動させながら」形成しているのに対して、刊行物発明では、「相対的に移動」させる点。　
　
　＊相違点３：サブ画素の各々の透過度の測定に際して、本願補正発明（読替）では、「順次」行っているのに対して、引用発明では、その様な特定がなされていない点。
　
　＊相違点４：ノズルからの噴射量の補正について、本願補正発明（読替）では、「補正数値をコントローラを用いて計算」し、「前記補正数値に従って」「ノズルの噴射量セッティング数値」を補正し、補正された「前記噴射量セッティング数値に従って前記不良サブ画素に該当するノズルから噴射されるカラーフィルター物質の量を調節して、ノズルを用いて噴射量を調節」しているのに対して、刊行物発明では、その様な特定がなされていない点。
　
　＊相違点５：カメラが備えているＣＣＤが本願補正発明（読替）では、「複数」であり、カメラが、「基板の上に水平方向に配置されたカメラ支持バーに設置され、前記カメラ支持バーの長軸方向へ移動し」、また、「基板上に配置されたカメラと前記基板下に配置された光発光ユニットが水平方向へ移動」するのに対して、刊行物発明では、ＣＣＤが複数で有るか否か不明であり、また、カメラと照明は移動せず、基板が移動する点。　
　
　＊相違点６：「噴射量を調節する段階」を、本願補正発明（読替）では、「前記カラーフィルターの形成前に駆動され、調節された噴射量で各々のサブ画素毎に望む透過度のカラーフィルタ基板を形成することで染み不良を事前に防ぐ」のに対して、刊行物発明では、「ヘッド交換やカラーフィルタ種の変更によりカラーフィルタ各画素の着色に使用するインクジェットヘッドノズルが変わった時」に行う点。
　　
　（イ）相違点についての判断
　ここで、上記各相違点について検討する。
　
　　ａ　相違点１について
　　カラーフィルター形成用のインクジェット装置の技術分野において、例えば、特開２００８−２４９９８６号公報（以下「刊行物２」という。）の【００８０】の「インクジェットヘッドは１ヘッドにつき１００ノズルを有するものを用い、１色につき１ヘッド、すなわちＲＧＢ３色にて３ヘッドを用いた。」、２０００−１４７２４３号公報（以下「刊行物３」という。）の【００３２】の「カラーフィルタ製造装置９０に使用されるインクジェットヘッド５５の構造を示す図である。図１においては、インクジェットヘッドはＲ,Ｇ,Ｂの３色に対応して３個設けられ」及び【００３３】の「図３において、インクジェットヘッド５５は、・・（略）・・複数の吐出口１０８が形成」との記載等、多数のノズルを有する各色毎の複数のヘッドを設けることは、周知の技術手段にすぎず、引用発明においても、その様な構成を有しているか、少なくともその様な構成を採用することは必要に応じて適宜設定する設計事項にすぎない。
　
　　ｂ　相違点２について
　引用発明においては、「カラーフィルタ基板と前記インクジェットヘッドとを相対的に移動」させるものであり、基板とインクジェットヘッドとの何れを移動させても良いことは明らかである。
　また、基板ステージを形成して、基板を移動させることは、例えば、刊行物３の【００４８】の「インクジェットヘッドが基板上を相対的に複数回走査しながらインクを吐出する際、インクジェットヘッドを固定して基板を移動させることにより相対的走査を行う場合と、基板を固定してインクジェットヘッドを移動させることにより相対的走査を行う場合のいずれも可能である」、特開２００３−１９１４６２号公報（以下「刊行物４」という。）の【００５９】の「先ずＸ軸テーブル２３が駆動し、基板Ｗを主走査方向に往動させると共に複数の機能液滴吐出ヘッド７を駆動して、機能液滴の基板Ｗへの選択的な吐出動作が行われる。基板Ｗが復動した後、こんどはＹ軸テーブル２４が駆動し、ヘッドユニット２６を１ピッチ分、副走査方向に移動させ、再度基板Ｗの主走査方向への往復移動と機能液滴吐出ヘッド７の駆動が行われる。」、【００６１】の「ヘッドユニット２６に対し、その吐出対象物である基板Ｗを主走査方向（Ｘ軸方向）に移動させるようにしているが、ヘッドユニット２６を主走査方向に移動させる構成であってもよい。また、ヘッドユニット２６を固定とし、基板Ｗを主走査方向および副走査方向に移動させる構成であってもよい。」との記載にもあるように周知の技術事項である。
　したがって、引用発明において、カラーフィルター形成時の基板の移動について、「ヘッド部方向へ基板を移動させながら」行わせることは、実質的に記載されているか、少なくとも適宜設定しうる設計的事項にすぎない。
　
　　ｃ　相違点３について
　引用発明では、「ＲＧＢについてそれぞれの色の開口部すべての範囲」をカメラで撮影し、ＲＧＢの各色ごとの透過度を検出している。各色ごとの透過度の検出に際しては、どの様に処理を行っているのか具的な方法が記載されていないものの、各開口部毎に個別にデータ処理をしなければ、各色ごとの透過度を特定できないことは明らかであるから、画像データの処理に際して、各色毎に順次処理を行うのか、同時並列的に行うのかは適宜設定しうる設計的事項の範囲のものである。
　また、引用発明においては、ＲＧＢの各開口毎に透過度を特定することが必要であるから、ＲＧＢの全開口部を同時に撮影して、個別に処理を行う物に変えて、各開口毎に撮影をするようすることも当業者の設計的事項にすぎない。
　したがって、サブ画素の各々の透過度の測定に際して「順次測定」することが、撮影したデータ内のサブ画素毎の処理を順次行うにしろ、撮影自体を順次行うにしろ、何れにおいても当業者ならば容易に想到し得た事項にすぎない。
　なお、特開平１０−３１９２２８号公報（以下「刊行物５」という。）の【００５３】には、「個々の単色画素の着色層毎に１組の光源と受光素子を配置することもできるが、少ない光源又は／及び受光素子の走査により順次測定する」との記載があり、色毎に測定することが記載されている。
　
　　ｄ　相違点４について
　　（ａ）相違点４に係る本願補正発明（読替）の「補正数値をコントローラを用いて計算」することについて検討する。
　引用発明は、「測定装置部の測定結果に基づいて、カラーフィルタの各画素毎に付与されているインクの過不足量を算出する演算手段と、該演算手段により算出された各画素毎のインクの過不足量と、カラーフィルタの着色に用いられた着色動作条件とから、着色に使用するインクジェットヘッドの各ノズルの吐出条件を決定する吐出条件決定手段とを更に具備し、前記着色動作条件決定部は、前記吐出条件決定手段により決定された吐出条件に基づいて、着色動作条件を決定するインクジェットヘッドによりカラーフィルタ基板に向けてインクを吐出して、各画素を着色する」ものである。
　上記「インクの過不足量」の「算出」に際しては、まず、「着色動作条件決定部」の「標準値として絶対基準カラーフィルタ基板を測定装置部で測定した値を用い、各色ごとに各画素の光学濃度が標準値からどれだけずれているかで色むらを判断し、ずれ量が多い場合色むら不良品と判断」するものであり、標準値としての光学濃度と測定値としての光学濃度との差分を算出してずれ量としていることは明らかである。
　また、引用発明では、「インクの過不足量と、カラーフィルタの着色に用いられた着色動作条件とから、着色に使用するインクジェットヘッドの各ノズルの吐出条件を決定」する際に、「測定装置部の測定値に対して、最適インク打ち込み密度の変更量のテーブルを持」っており、「測定データ、測定パラメータ及び測定基板の描画パラメータをうけとることで、新描画パラメータを新しく生成するものであって」、「各画素についてどのようなインク打ち込み密度で着色するかを決定」しているものである。
　ここで、単一の実測定値のみではテーブル変換で得られるのは、測定した画素の打ち込まれたインクの量だけであり、各画素毎のインクの過不足量からノズルの吐出条件を決定するためには、標準値とのずれ量に応じたインクの量をテーブルから得ていることも当業者にとって明らかである。
　したがって、引用発明における上記「インクの過不足量」の「算出」に際しては、測定した光学濃度値と標準値とのずれ量である差分を算出して、当該差分値に応じたインクの過不足量をテーブルから得ているものである。
　そして、測定値からずれ量を算出し、あらたなインクの量を得るために、テーブルを用いるか、関係式を作成して算出をするかは、異なるパラメータ間の変換に際しての常套手段にすぎず、インクジェットによってカラーフィルターを作成する技術分野において、作成したカラーフィルターの光学的検出値に基づいて、新たなインクの量を算出する際にも、例えば、特開２０００−１９３８１４号公報（以下「刊行物６」という。）の下記【００３０】〜【００３６】の記載のように周知技術手段にすぎず、引用発明においても、テーブルに変えて、関係式を用いた補正値の算出を行うことは適宜設定しうる事項にすぎない。
　したがって、相違点４に係る本願補正発明（読替）の「補正数値をコントローラを用いて計算」することは、当業者ならば刊行物６に記載された周知技術に基づいて容易に想到し得た事項である。
　
　＜＜刊行物６の記載事項＞＞
「【００３０】次に、上記検査結果をインク量の決定手段とするカラーフィルタの製造手順について説明する。
【００３１】（ａ）適切なインク量で着色されたカラーフィルタの各着色部について、上記検査手順で透過率を測定する。該透過率が目標値となる。
【００３２】（ｂ）何点かインク量を振って着色を行ない、その透過率から、インク変化量と透過率変化量の対応づけを行なう。これに基づいて、
透過率変化量を実際のインク量の変化量に換算する係数を算出
【００３３】以上が前準備にあたる。
【００３４】（ｃ）
新たに着色したカラーフィルタについて
透過率を測定して色ムラの検査を行ない
目標値とのずれ量を算出する
【００３５】（ｄ）上記（ｃ）で
算出したずれ量に対して、（ｂ）で算出した変換係数を考慮して、新たなインク量を算出する
【００３６】（ｅ）上記（ｄ）の結果をカラーフィルタの
着色工程へフィードバックし、インク量の制御を行なう
インク滴の体積を制御する方法
インク滴の間隔で制御されること
　
　（ｂ）相違点４に係る本願補正発明（読替）の「前記補正数値に従って」「ノズルの噴射量セッティング数値」を補正し、補正された「前記噴射量セッティング数値に従って前記不良サブ画素に該当するノズルから噴射されるカラーフィルター物質の量を調節して、ノズルを用いて噴射量を調節」することについて検討する。
　引用発明は、「インクの過不足量」を得て「新描画パラメータを新しく生成」し、「新描画パラメータ」に応じたインクの量を吐出するのであるから、引用発明の「インクの過不足量」、「新描画パラメータ」は、それぞれ本願補正発明の「補正数値」、「『ノズル噴射量セッティング数値』及び『噴射量セッティング数値』」に相当するものである。
　ここで、引用発明の吐出量としては、「インク打ち込み密度」を調節しているところ、吐出するインクの体積自体の調節を行うか、インク滴の間隔即ち密度の調整を行うかは、例えば、刊行物６の上記【００３６】の「インク量の制御はノズルから吐出されるインク滴の体積を制御する方法の他に、カラーフィルタ上に付与されるインク滴の間隔で制御されることが一般的」との記載、刊行物３の【００３４】の「従って、ヒータ１０２に加える駆動パルスを制御、例えば電力の大きさを制御することにより気泡の大きさを調整することが可能であり、吐出口から吐出されるインクの体積を自在にコントロールすることができる。」及び【００７１】の「次に、図１４乃至図１６は、各インク吐出ノズルからのインク吐出密度を調整することにより、インクジェットヘッドの走査方向の濃度ムラを補正する方法（以下シェーディング補正と呼ぶ）を示す図である。」との記載、特開２００７−１３６３１０号（以下「刊行物７」という。）の【００１７】の「これらの場合、データ補正工程は、各ノズルからのショット数の増減および／または１ショット当たりの機能液吐出量の増減により、機能液付与量が増減するように、吐出パターンデータを補正することが好ましい。」、【００１８】の「この構成によれば、各ノズルからのショット数を増減させる、あるいは１ショット当たりの機能液吐出量を増減させるという簡易な制御により、各仮想分割部位に対する機能液付与量を増減させることができる。」との記載等に示されているように、周知の選択的な設計的事項にすぎない。
　したがって、引用発明において、周知の選択的事項の一方を選択することで、相違点４に係る本願補正発明（読替）の「前記補正数値に従って」「ノズルの噴射量セッティング数値」を補正し、補正された「前記噴射量セッティング数値に従って前記不良サブ画素に該当するノズルから噴射されるカラーフィルター物質の量を調節して、ノズルを用いて噴射量を調節」する構成とすることは、当業者の設計的事項にすぎない。
　
　　ｅ　相違点５について
　　（ａ）相違点５に係る本願補正発明（読替）のＣＣＤが「複数」ある点について検討する。
　引用発明は、「ＣＣＤカメラ７２からのデータを画像処理装置７５で処理する」際の「１画素の処理範囲は、ＲＧＢについてそれぞれの色の開口部すべての範囲であり、あるノズルで着色された画素について、その画素の光学測定値（ここでは透過率）を得ることを目的として行われ、同時に複数の画素を測定しても構わ」いとされており、少なくとも、１回の測定において、ＲＧＢについてそれぞれの色の開口部すべての範囲である１画素分のデータを取得しているものである。ＣＣＤは、そのセンサ領域及び分解能において種々のものがあり、２次元の領域で画像データを取得するに際して、各色毎にラインセンサを複数設けるか、２次元画像を一度に取得する単一のエリアセンサを用いるか、或いは小さなエリアセンサを複数用いるか等は、費用対効果等によって適宜設定する設計事項にすぎない。
　また、上記「ｃ　相違点３について」での検討において摘記した刊行物５の上記【００５３】の記載のように、各色ごとに１組の光源と受光素子を配置することからも、ＣＣＤを複数とすることは適宜採用しうる程度のものである。
　なお、本願の当初明細書の【００２８】には、「カメラ１３１は、赤色、緑色及び青色カラーフィルターの透過度を一度に撮影することができるように複数個のＣＣＤ（・・（略）・・）を具備する。」旨説明されており、ＣＣＤを複数用いる際の信号処理、或いは、複数のＣＣＤの配置関係等について特段の説明は記載されておらず、３色のフィルターを一度に撮影することができれば「複数」との限定をすることによって、特段の技術的意味がある旨の説明はなされておらず、本願補正発明（読替）に「複数個のＣＣＤ」との発明特定事項において格別な効果は見いだせない。
　
　　（ｂ）相違点５に係る本願補正発明（読替）の、カメラが、「基板の上に水平方向に配置されたカメラ支持バーに設置され、前記カメラ支持バーの長軸方向へ移動し」、また、「基板上に配置されたカメラと前記基板下に配置された光発光ユニットが水平方向へ移動」する点について検討する。
　引用発明は、基板上の所定の位置を選択してカメラによる撮影を行うに際して、基板を移動させるものであるが、基板の所定の位置を設定するに際しては、基板に対して、カメラと照明とが同時に相対的に移動すれば良いことは明らかであり、引用発明において、カメラを固定して基板の移動のみに限定させるべき特段の理由はなく。適宜選択的に設定しうる設計事項にすぎない。
　また、基板上を、部材を横断させる手段として、支持部材を基板上に横断的に配置し、支持部材の長軸方向に沿って部材を移動させることは、例えば、刊行物５の図５の、基板４３上のガイドレール４２と受光素子４７、特開２００４−１１７７３９号公報（以下「刊行物８」という。）の図１のカラーフィルタ５０上のコラムの梁部２ａとカメラ５との配置関係等周知の技術手段にすぎない。
　そして、引用発明においては、基板上の複数画素を相対的に移動してカメラによる測定をする際には、透過度という光学的測定を行うことから、移動に際しては、基板とカメラとの間隔及び照明とカメラとの間隔を一定の状態にしておく必要があることは明らかであるから、上記のように、基板上をカメラが移動することを採用した場合には、基板に対してカメラが平行状態である水平方向に移動させ、カメラと共に、照明も間隔を一定として移動させるようにすること即ち水平方向に移動させることは、当然考慮される事項にすぎない。
　
　　ｆ　相違点６について
　引用発明は、「ヘッド交換やカラーフィルタ種の変更によりカラーフィルタ各画素の着色に使用するインクジェットヘッドノズルが変わった時」に、予め設定された初期描画パラメータに基づいて最初の着色動作を一回行って、当該着色動作によって形成されたカラーフィルタの透過度を測定して、新たな描画パラメータを設定し直しているものであり、初期描画パラメータによる着色動作が必ずしも適切でないことが明らかであるために透過度の測定を行っているものであるから、一種のテストを行っているものである。
　そして、テストを行うに際して、テスト専用領域を設けるか、製品領域内でのテストとするかは何れも周知の技術手段であり、カラーフィルタの製造技術の分野においても、例えば、刊行物５の【００３７】に記載されている「
製造直前の吐出テスト
非表示領域部であるダミー基板や基板の非表示領域部に対して、あらかじめインクジェットヘッドからインクを吐出してダミーの着色層を形成
各インクジェットノズルへの駆動状態を変更してインクの吐出量を調整する。その後に、表示領域部に対してインクの吐出を行う
　したがって、引用発明において、上記最初の着色動作を行う領域を、テスト専用の領域として位置付けるか、製品領域におけるテスト領域として扱うか、或いは、ずれ量が大きい場合には不良品として扱う製品領域とするかについては、適宜設定しうる設計的事項の範囲のものである。
　また、引用発明において、製品領域外のテスト専用領域でテストを行う方法を採用すれば、「前記カラーフィルターの形成前に駆動され、調節された噴射量で各々のサブ画素毎に望む透過度のカラーフィルタ基板を形成することで染み不良を事前に防ぐ」ことになるのは明らかである。
　したがって、引用発明において上記周知技術に基づき、相違点６に係る本願補正発明（読替）の構成とすることは、当業者が容易に想到し得た事項である。
　
　（ウ）刊行物１に基づく当審の判断のまとめ
　したがって本件補正発明における本件補正事項に係る構成が、新規事項の追加ではないものと仮定しても、本願補正発明（読替）は、刊行物発明及び刊行物２〜８に記載された周知技術に基づいて、当業者が容易に発明をすることができたものであるから、特許法第２９条第２項の規定により特許出願の際独立して特許を受けることができないものである。
　
（４）独立特許要件に関するまとめ
　本件補正後の請求項１に係る発明の「前記噴射量セッティング数値に従って前記不良サブ画素に該当するノズルの各々の内部に注入されたカラーフィルター物質の量を調節して、ノズルを用いて噴射量を調節する段階」との発明特定事項が、仮に、「前記噴射量セッティング数値に従って前記不良サブ画素に該当するノズルから噴射されるカラーフィルター物質の量を調節して、ノズルを用いて噴射量を調節する段階」であるとの意味であったとしても、上記（２）のように、本件補正後の請求項１の記載は、特許法第３６条第６項第２号に規定する要件を満たしていないから、本件補正は、特許法第１７条の２第６項において準用する同法第１２６条第７項の規定に違反するので、同法第１５９条第１項において読み替えて準用する同法第５３条第１項の規定により却下すべきものである。
　さらに、「カラーフィルター形成前」との記載が、仮に、「カラーフィルター形成工程が進行される以前」であって、「噴射量を調節する段階」の為のカラーフィルターを形成し調整を行ってから、「カラーフィルター形成工程が進行される」ものであるとの意味であったとしても、上記（３）のように、本願補正発明（読替）は、刊行物発明及び刊行物２〜８に記載された周知技術に基づいて、当業者が容易に発明をすることができたものであるから、特許法第２９条第２項の規定により特許出願の際独立して特許を受けることができないものである。
　したがって、本件補正は、特許法第１７条の２第６項において準用する同法第１２６条第７項の規定に違反するので、同法第１５９条第１項において読み替えて準用する同法第５３条第１項の規定により却下すべきものである。
　
４　まとめ
　よって、上記２より、本件補正は、特許法第１７条の２第３項の規定に違反するので、同法第１５９条第１項において読み替えて準用する同法第５３条第１項の規定により却下すべきものである。　
　或いは、上記３より、本件補正は、特許法第１７条の２第６項において準用する同法第１２６条第７項の規定に違反するので、同法第１５９条第１項において読み替えて準用する同法第５３条第１項の規定により却下すべきものである。
　
第３　本願の請求項１〜５に係る発明について　
１　本願の請求項１〜５に係る発明
　本件補正は上記「第２　補正の却下の決定」での検討のとおり却下されたので、本願の請求項１〜５に係る発明は、本件補正前の特許請求の範囲の請求項１〜５に記載されたとおりのものであるところ、請求項５に係る発明（以下「本願発明」という。）は、請求項４に係る発明を引用していることから請求項４及び請求項５に記載された次のとおりのものである。
　
　「赤色、緑色及び青色カラーフィルター材料を噴射する多数のノズルが具備された第１乃至第３ヘッド部方向へ基板を移動させながら、前記基板のサブ画素の各々に赤色、緑色及び青色カラーフィルターを形成する段階；
前記赤色、緑色及び青色カラーフィルターが形成される基板の１水平区間毎サブ画素の各々の透過度を順次測定する透過度測定段階；
　予め設定されたサブ画素の基準透過度と前記測定されたサブ画素の透過度を比較して不良サブ画素を判別する段階；
　前記不良サブ画素の補正数値をコントローラを用いて計算する段階；
　前記補正数値に従って不良サブ画素に該当するノズルの噴射量セッティング数値をノズル噴射量調節部を用いて補正する段階；及び
　前記噴射量セッティング数値に
従ってノズル
を含み、
　
前記ノズル噴射量を調節する段階は、前記不良サブ画素各々の内部に注入されたカラーフィルター物質の量を調節し、
　前記透過度測定段階は、前記赤色、緑色及び青色のカラーフィルターを同時に撮影
するカメラ
　前記カメラは、前記基板の上に水平方向に配置されたカメラ支持バーに設置され、前記カメラ支持バーの長軸方向へ移動
し、
　
前記透過度測定段階と
または前記第１乃至第３ヘッド部の交換または前記ノズルの交換以後
される
ことを特徴とするインクジェット印刷方法（【請求項４】）において、
　
前記サブ画素の各々の透過度を測定する段階は、
　
２　原査定の拒絶の理由の概要
　原査定の拒絶の理由は、「平成２５年　２月　７日付けの拒絶理由通知書に記載した理由２及び３によって拒絶をすべきものである。」というものであり、「平成２５年　２月　７日付けの拒絶理由通知書に記載した理由２及び３」の概要は以下のとおりである。
　「２．この出願は，特許請求の範囲の記載が下記の点で，特許法第３６条第６項第２号に規定する要件を満たしていない。」
　「３．この出願の下記の請求項に係る発明は，その出願前に日本国内又は外国において頒布された下記の刊行物に記載された発明又は電気通信回線を通じて公衆に利用可能となった発明に基いて，その出願前にその発明の属する技術の分野における通常の知識を有する者が容易に発明をすることができたものであるから，特許法第２９条第２項の規定により特許を受けることができない。」
　
３　特許法第３６条第６項第２号に関する当審の判断
（１）本願発明の「前記ノズル噴射量を調節する段階は、前記不良サブ画素各々の内部に注入されたカラーフィルター物質の量を調節し、」との記載について検討する。
（２）本願発明では、「前記ノズル噴射量を調節する段階」に至るまでに、概ね以下の工程が特定されている。
　ア　「基板のサブ画素の各々・・・(略)・・・カラーフィルターを形成する段階」
　イ　「サブ画素の各々の透過度を順次測定する透過度測定段階」
　ウ　「不良サブ画素を判別する段階」
　エ　「補正数値を」「計算する段階
　オ　「ノズルの噴射量セッティング数値を」「補正する段階」
　カ　「ノズルを用いて噴射量を調節する段階」
　そして、上記カの工程を更に特定する上記「前記ノズル噴射量を調節する段階は、前記不良サブ画素各々の内部に注入されたカラーフィルター物質の量を調節し、」との限定が付加されている構造となっている。
（３）上記カの「ノズルを用いて噴射量を調節する段階」との記載は、単に噴射する量を調節する行為のみで有ることは明らかであり、その様な調整をする段階においては、既に形成され不良サブ画素自体に対して何らの行為もしていないのであるから、「前記不良サブ画素各々の内部に注入されたカラーフィルター物質の量を調節」することはできないことは明らかであり、矛盾した記載となる。
　また、仮に、上記段階が、調節された噴射量で噴射する行為であったとしても、噴射を行うに際して、どの様にして、「不良サブ画素各々の内部に注入されたカラーフィルター物質の量を調節」するのかが不明である。
　したがって、この出願は，特許請求の範囲の記載が明確ではなく、特許法第３６条第６項第２号に規定する要件を満たしていない。
　
４　特許法第２９条第２項に関する当審の判断
（１）上記３のように、請求項４に係る発明は、明確ではなく、また、本件補正による補正によっても上記「第２　２　（２）」での判断のように新規事項となるが、上記「第２　３　（３）ア」で検討したように、上記「前記ノズル噴射量を調節する段階は、前記不良サブ画素各々の内部に注入されたカラーフィルター物質の量を調節し、」との記載及び上記カの「ノズルを用いて噴射量を調節する段階」を、仮に、「前記噴射量セッティング数値に従って前記不良サブ画素に該当するノズルから噴射されるカラーフィルター物質の量を調節して、ノズルを用いて噴射量を調節する段階」と読み替えて以下検討する。（読み替えた本願発明を以下「本願発明（読替）」という。）
　
（２）刊行物１及び刊行物２〜８の摘記事項
　刊行物１の摘記事項は、上記「第２　２（３）イ　刊行物及びその摘記事項」、刊行物２〜８の摘記事項は、「第２　２（３）ウ　（イ）相違点についての判断」に記載されたとおりである。
　
（３）対比・判断
　ア　本願発明（読替）は、上記「第２　２　（３）ウ　刊行物１に基づく当審の判断」で検討した本願補正発明（読替）における、
　イ　「前記透過度測定段階は、前記赤色、緑色及び青色のカラーフィルターを同時に撮影する
複数個のＣＣＤを備える
複数個のＣＣＤを備える
　ウ　「
前記
前に駆動され
前記透過度測定段階と
または前記第１乃至第３ヘッド部の交換または前記ノズルの交換以後
される
　エ　さらに「
、調節された噴射量で各々のサブ画素毎に望む透過度のカラーフィルタ基板を形成することで染み不良を事前に防ぐ
　ここで、上記ウについてみると、本願補正発明（読替）は、本願発明（読替）の２つの選択肢の内の１つに限定したものであるから、当該選択肢に関して、本願補正発明（読替）が本願発明（読替）の構成要件を含んでいるものである。
　
（２）そうすると、本願発明（読替）の構成要件を全て含み、さらに他の構成要件を付加したものに相当する本願補正発明（読替）が上記「第２　２（３）ウ　刊行物１に基づく当審の判断」に記載したとおり、刊行物１に記載された発明及び刊行物２〜８に記載された周知技術に基づいて当業者が容易に発明をすることができたものであるから、本願発明（読替）も、同様に、刊行物１に記載された発明及び刊行物２〜８に記載された周知技術に基づいて当業者が容易に発明をすることができたものである。
　
第４　結言
　この出願は，特許請求の範囲の記載が明確ではなく、特許法第３６条第６項第２号に規定する要件を満たしていないから、特許を受けることができず、また、本願の請求項４を引用する請求項５に係る発明は、刊行物１に記載された発明及び刊行物２〜８に記載された周知技術に基づいて当業者が容易に発明をすることができたものであるから、特許法第２９条第２項の規定により特許を受けることができない。
　したがって、本願の請求項１〜４に係る発明については検討するまでもなく、本願は拒絶すべきものである。
　
　よって、結論のとおり審決する。